(57)【要約】      （修正有）【課題】セキュリティを向上する電子錠制御装置、電子錠制御システム、電子錠制御方法、及び、プログラムを提供する。【解決手段】ビジネスホン主装置２は、ドアホン子機５を介して入力されたＰＢ信号を受信するＰＢ信号受信部２２と、ＰＢ信号から認証情報を復号する認証情報復号部２３と、復号された認証情報に基づいて電子錠４を制御する電子錠制御部２５と、を備える。【選択図】図２
2020033775.tif 000002
【特許請求の範囲】
【請求項１】
ドアホン子機を介して入力された可聴帯域信号を受信する可聴帯域信号受信部と、
前記可聴帯域信号から認証情報を復号する認証情報復号部と、
復号された前記認証情報に基づいて電子錠を制御する電子錠制御部と、
を備えた、
電子錠制御装置。
【請求項２】
前記可聴帯域信号は、音声帯域信号である、
請求項１に記載の電子錠制御装置。
【請求項３】
前記音声帯域信号は、ＰＢ信号である、
請求項２に記載の電子錠制御装置。
【請求項４】
認証情報を記憶する認証情報記憶部を更に備え、
前記電子錠制御部は、復号された前記認証情報が、前記認証情報記憶部に記憶されている前記認証情報に一致した場合、前記電子錠を解錠する、
請求項１から３までの何れか１項に記載の電子錠制御装置。
【請求項５】
前記電子錠は、前記ドアホン子機に対応して配置されたものである、
請求項１から４までの何れか１項に記載の電子錠制御装置。
【請求項６】
前記ドアホン子機と、
請求項１から５までの何れか１項に記載の電子錠制御装置と、
構内交換機、又は、インターホン親機と、
を備え、
前記電子錠制御装置は、
前記ドアホン子機と前記構内交換機との間の通話パス上に、
又は、
前記ドアホン子機と前記インターホン親機との間の通話パス上に、
設けられている、
電子錠制御システム。
【請求項７】
ドアホン子機を介して入力された可聴帯域信号を受信するステップと、
前記可聴帯域信号から認証情報を復号するステップと、
復号された前記認証情報に基づいて電子錠を制御するステップと、
を含む、
電子錠制御方法。
【請求項８】
前記可聴帯域信号は、ＰＢ信号である、
請求項７に記載の電子錠制御方法。
【請求項９】
認証情報を記憶するステップを更に含み、
復号された前記認証情報に基づいて前記電子錠を制御するステップでは、復号された前記認証情報が記憶されている前記認証情報に一致した場合、前記電子錠を解錠する、
請求項７又は８に記載の電子錠制御方法。
【請求項１０】
コンピュータに、請求項７から９までの何れか１項に記載の電子錠制御方法を実行させるためのプログラム。
【発明の詳細な説明】
【技術分野】
【０００１】
本発明は、電子錠制御装置、電子錠制御システム、電子錠制御方法、及び、プログラムに関する。
【背景技術】
【０００２】
特許文献１は、インターホンシステムのドアホン子機によって電子錠の解錠を行うための技術を提案している。具体的には、ドアホン子機の呼出ボタンを操作することにより電子錠操作制御ユニットに暗証番号を入力できるようにしている。電子錠操作制御ユニットは、入力された暗証番号に基づいて電子錠を解錠する。
【先行技術文献】
【特許文献】
【０００３】
【特許文献１】特開平５−８６７５６号公報
【発明の概要】
【発明が解決しようとする課題】
【０００４】
上記特許文献１の構成では、暗証番号の桁数が小さい場合、暗証番号を知らない第三者が呼出ボタンを適当に操作して電子錠の解錠に成功してしまうことが考えられる。
【０００５】
本開示の目的は、上述した課題に鑑み、ドアホン子機を用いて電子錠を解錠する技術において、セキュリティを向上する電子錠制御装置、電子錠制御システム、電子錠制御方法、及び、プログラムを提供することにある。
【課題を解決するための手段】
【０００６】
本開示の第一の観点によれば、ドアホン子機を介して入力された可聴帯域信号を受信する可聴帯域信号受信部と、前記可聴帯域信号から認証情報を復号する認証情報復号部と、復号された前記認証情報に基づいて電子錠を制御する電子錠制御部と、を備えた、電子錠制御装置が提供される。
【０００７】
本開示の第二の観点によれば、ドアホン子機を介して入力された可聴帯域信号を受信するステップと、前記可聴帯域信号から認証情報を復号するステップと、復号された前記認証情報に基づいて電子錠を制御するステップと、を含む、電子錠制御方法が提供される。
【発明の効果】
【０００８】
本開示によれば、ドアホン子機を用いて電子錠を解錠する技術において、セキュリティを向上することができる。
【図面の簡単な説明】
【０００９】
【図１】第１実施形態に係るビジネスホン主装置の要部概略図である。
【図２】第２実施形態に係るビジネスホンシステムの構成概略図である。
【図３】スマートフォンの構成概略図である。
【図４】電子錠制御方法の制御フローである。
【図５】第３実施形態に係るビジネスホンシステムの構成概略図である。
【図６】第４実施形態に係るインターホンシステムの構成概略図である。
【図７】第５実施形態に係るインターホンシステムの構成概略図である。
【発明を実施するための形態】
【００１０】
（第１実施形態）
以下、図１を参照して、第１実施形態を説明する。
【００１１】
図１に示すように、ビジネスホン主装置２（電子錠制御システム）は、ドアホン子機を介して入力されたＰＢ信号（可聴帯域信号）を受信するＰＢ信号受信部２２（可聴帯域信号受信部）を備える。
【００１２】
ビジネスホン主装置２は、可聴帯域信号から認証情報を復号する認証情報復号部２３と、復号された認証情報に基づいて電子錠を制御する電子錠制御部２５と、を備える。
【００１３】
以上の構成によれば、ドアホン子機を用いて電子錠を解錠する技術において、セキュリティを向上することができる。
【００１４】
（第２実施形態）
以下、図２から図４を参照して、第２実施形態を説明する。
【００１５】
図２に示すように、ビジネスホンシステム１（電子錠制御システム）は、ビジネスホン主装置２（電子錠制御装置）と、複数のビジネスホン３と、電子錠４と、ドアホン子機５と、を備えている。
【００１６】
ビジネスホン主装置２は、公衆網６に接続されている。ビジネスホン主装置２は、公衆網６からの外線を複数のビジネスホン３のうち何れか１つと接続したり、ドアホン子機５を複数のビジネスホン３のうち何れか１つと接続したり、複数のビジネスホン３同士を接続したりする電話交換機（構内交換機）である。ビジネスホン主装置２は、接続可能なビジネスホン３の個数が多ければＰＢＸ(Private Branch Exchange)とも称される。ビジネスホン主装置２の詳細は後述する。
【００１７】
複数のビジネスホン３は、ビジネスホン主装置２に接続されている。
【００１８】
電子錠４は、ビジネスホン主装置２とケーブル３４により接続している。電子錠４は、建物の入場口や、複数の建物が共有する入場口、敷地の入場口、その他の入場口に設けられ、入場口を施錠及び解錠するものである。以下、電子錠４は建物の入場口に設けられているものとして説明する。電子錠４は例えばソレノイドコイルを備えており、ビジネスホン主装置２が電子錠４による施錠及び解錠を遠隔操作可能である。電子錠４は、ビジネスホン主装置２と無線により接続していてもよい。
【００１９】
ドアホン子機５は、ビジネスホン主装置２とケーブル３３により接続している。ドアホン子機５は、電子錠４が施錠する入場口の近傍に配置されている。ドアホン子機５は、電子錠４の近傍に配置されている。ドアホン子機５は、電子錠４に対応して配置されている。ドアホン子機５は、主として、建物への来訪者が入場口の外側から建物内の従業員に来訪した事実を報知したり、建物への来訪者が入場口の外側から建物内の従業員と会話するためのものである。ドアホン子機５は、呼出ボタン７、スピーカ８、マイク９を備えている。来訪者は、入場口に到着したら呼出ボタン７を押下することで、到着したことを建物内の従業員に報知することができる。また、来訪者は、スピーカ８及びマイク９を用いて建物内の従業員と会話することができる。スピーカ８及びマイク９は、１つのスピーカで構成することもできる。ドアホン子機５は、ビジネスホン主装置２と無線により接続されていてもよい。
【００２０】
次に、ビジネスホン主装置２を詳細に説明する。ビジネスホン主装置２は、中央演算処理器としてのＣＰＵ１０(Central Processing Unit)と、読み書き自由のＲＡＭ１１(Random Access Memory)、読み出し専用のＲＯＭ１２(Read Only Memory)を備えている。そして、ＣＰＵ１０がＲＯＭ１２に記憶されているプログラムを読み出して実行することで、プログラムは、ＣＰＵ１０などのハードウェアを、認証情報記憶部２０として機能させる。また、プログラムは、ＣＰＵ１０などのハードウェアを、呼出応答部２１、ＰＢ信号受信部２２、認証情報復号部２３、認証情報判定部２４、電子錠制御部２５、電子錠制御通知部２６として機能させる。
【００２１】
認証情報記憶部２０は、認証情報を記憶する。認証情報は、複数の数字から成る数字列である。以下、認証情報記憶部２０に記憶されている認証情報を「登録済み認証情報」と称する。
【００２２】
呼出応答部２１は、ドアホン子機５で呼出ボタン７が押下された際に所定の呼出応答処理を行う。所定の呼出応答処理とは、例えば、ドアホン子機５のスピーカ８に特定の音声メッセージを出力することである。
【００２３】
ＰＢ信号受信部２２は、ドアホン子機５のマイク９を介して入力されたＰＢ信号を受信する。ＰＢ信号(Push Button Dial Signal)は、音声帯域信号の一具体例である。音声帯域信号は、例えば、３００Ｈｚから３４００Ｈｚまでの間の信号である。音声帯域信号は、可聴帯域信号の一具体例である。可聴帯域信号は、例えば、周波数が２Ｈｚから２００００Ｈｚまでの間の信号である。
【００２４】
認証情報復号部２３は、ＰＢ信号受信部２２が受信したＰＢ信号から認証情報を復号する。
【００２５】
認証情報判定部２４は、復号した認証情報が登録済み認証情報と一致するか判定する。
【００２６】
電子錠制御部２５は、復号された認証情報に基づいて電子錠４を制御する。具体的には、電子錠制御部２５は、上記判定の結果、認証情報判定部２４が一致と判定した場合は、電子錠４を解錠する。一方、電子錠制御部２５は、認証情報判定部２４が不一致と判定した場合は、電子錠４を解錠しない。
【００２７】
電子錠制御通知部２６は、電子錠制御部２５が電子錠４を解錠したこと、又は、電子錠制御部２５が電子錠４を解錠しなかったことをドアホン子機５のスピーカ８を介して来訪者に通知する。
【００２８】
そして、従業員が建物内に入場する際は、登録済み認証情報をＰＢ信号としてドアホン子機５のマイク９を介してビジネスホン主装置２に入力すればよい。この際、従業員は、例えば、図３に示すスマートフォン１３を利用することができる。
【００２９】
スマートフォン１３は、中央演算処理器としてのＣＰＵ１４と、読み書き自由のＲＡＭ１５、読み出し専用のＲＯＭ１６、スピーカ１７を備えている。そして、ＣＰＵ１４がＲＯＭ１６に記憶されているプログラムを読み出して実行することで、プログラムは、ＣＰＵ１４などのハードウェアを、認証情報記憶部３０、ＰＢ信号変換部３１、ＰＢ信号再生部３２として機能させる。
【００３０】
認証情報記憶部３０は、登録済み認証情報を記憶する。
【００３１】
ＰＢ信号変換部３１は、認証情報記憶部３０に記憶されている登録済み認証情報をＰＢ信号に変換する。
【００３２】
ＰＢ信号再生部３２は、ＰＢ信号変換部３１によって変換されたＰＢ信号をスピーカ１７から再生する。
【００３３】
次に、図４を参照して、電子錠制御方法の制御フローを説明する。
【００３４】
Ｓ１００：
まず、ビジネスホン主装置２の管理者が認証情報を認証情報記憶部３０に記憶させておく。
【００３５】
Ｓ１１０：
また、従業員は、ビジネスホン主装置２の管理者から提供された上記の認証情報を自己のスマートフォン１３の認証情報記憶部３０に記憶させておく。
【００３６】
Ｓ１２０：
従業員が電子錠４を解錠して入場口から建物内へ入場する際は、まず、従業員がドアホン子機５の呼出ボタン７を押下する。
【００３７】
Ｓ１３０：
すると、ドアホン子機５からビジネスホン主装置２へ呼出通知が出力される。
【００３８】
Ｓ１４０：
ビジネスホン主装置２の呼出応答部２１は、ドアホン子機５から呼出通知が入力されると、ドアホン子機５のスピーカ８に応答通知を出力する。応答通知は、例えば、「認証情報を入力してください。」という音声メッセージである。
【００３９】
Ｓ１５０：
従業員は、上記の音声メッセージが流れた後、スマートフォン１３を操作することで、認証情報記憶部３０に記憶されている認証情報をスピーカ１７からＤＴＭＦ(Dual-Tone Multi-Frequency)方式で、即ちＰＢ信号としてドアホン子機５のマイク９に向けて出力する。
【００４０】
Ｓ１６０：
スマートフォン１３から出力されたＰＢ信号はケーブル３３（図２を併せて参照）に重畳されてビジネスホン主装置２に入力され、ＰＢ信号受信部２２によって受信される。
【００４１】
Ｓ１７０：
次に、認証情報復号部２３は、ＰＢ信号受信部２２が受信したＰＢ信号から認証情報を復号する。
【００４２】
Ｓ１８０：
次に、認証情報判定部２４は、復号した認証情報が登録済み認証情報と一致するか判定する。
【００４３】
Ｓ１９０−Ｓ２００：
次に、電子錠制御部２５は、Ｓ１８０の判定結果が真である場合、電子錠４を解錠する。一方、電子錠制御部２５は、Ｓ１８０の判定結果が偽である場合、電子錠４を解錠しない。
【００４４】
Ｓ２１０：
次に、電子錠制御通知部２６は、電子錠制御部２５が電子錠４を解錠した場合、ドアホン子機５のスピーカ８に「解錠しました。」という音声メッセージを出力する。一方、電子錠制御通知部２６は、電子錠制御部２５が電子錠４を解錠しなかった場合、ドアホン子機５のスピーカ８に「認証に失敗しました。」という音声メッセージを出力する。
【００４５】
そして、従業員は、電子錠４の解錠に成功すると、入場口から建物内に入場する。その後、電子錠４は所定時間経過後に自動的に施錠される。
【００４６】
このように、ドアホン子機５を介して認証情報をＰＢ信号でビジネスホン主装置２に入力して電子錠４を解錠するように構成することで、ドアホン子機５の呼出ボタン７を単に複数回叩いて認証情報を入力する構成と比較して、セキュリティが飛躍的に向上する。
【００４７】
以上、本開示の第２実施形態を説明したが、上記実施形態は、以下の特徴を有する。
【００４８】
図２に示すように、ビジネスホン主装置２（電子錠制御装置）は、ドアホン子機５を介して入力されたＰＢ信号（可聴帯域信号）を受信するＰＢ信号受信部２２（可聴帯域信号受信部）と、ＰＢ信号から認証情報を復号する認証情報復号部２３と、復号された認証情報に基づいて電子錠４を制御する電子錠制御部２５と、を備える。以上の構成によれば、ドアホン子機５を用いて電子錠４を解錠する技術において、セキュリティを向上することができる。
【００４９】
なお、上記実施形態においてＰＢ信号受信部２２と認証情報復号部２３、電子錠制御部２５はビジネスホン主装置２単体で実現することとしたが、これに代えて、複数の装置で分散処理してもよい。
【００５０】
また、ビジネスホン主装置２は、電子錠４に対応する建物内に配置してもよいし、他の建物内に配置してもよい。
【００５１】
上記のＰＢ信号は、音声帯域信号の一具体例である。音声帯域信号は、可聴帯域信号の一具体例である。可聴帯域信号は、ＰＢ信号に代えて、例えば、従業員の発話そのものやメロディーであってもよい。
【００５２】
また、ビジネスホン主装置２は、認証情報を記憶する認証情報記憶部２０を更に備える。電子錠制御部２５は、復号された認証情報が、認証情報記憶部２０に記憶されている認証情報に一致した場合、電子錠４を解錠する。以上の構成によれば、認証判定を確実に実行することができる。しかしながら、電子錠制御部２５は、可聴帯域信号毎の認証判定を機械学習によって学習し、その学習結果に基づいて認証判定を実行するようにしてもよい。この場合、認証情報記憶部２０を省略することができる。
【００５３】
なお、電子錠４は、ドアホン子機５に対応して配置されたものである。
【００５４】
また、電子錠制御方法は、ドアホン子機５を介して入力されたＰＢ信号を受信するステップ（Ｓ１６０）と、ＰＢ信号から認証情報を復号するステップ（Ｓ１７０）と、復号された認証情報に基づいて電子錠４を制御するステップ（Ｓ１８０−Ｓ２００）と、を含む。以上の方法によれば、ドアホン子機５を用いて電子錠４を解錠する技術において、セキュリティを向上することができる。
【００５５】
なお、上記実施形態において認証情報は、複数の数字から構成された数字列とした。しかしながら、認証情報は、複数の文字から構成された文字列であってもよい。また、認証情報は、少なくとも１つの文字と少なくとも１つの数字を組み合わせたものであってもよい。また、認証情報は、少なくとも１つの文字又は数字と少なくとも１つの記号を組み合わせたものであってもよい。
【００５６】
また、上記実施形態においてドアホン子機５のマイク９を介して認証情報を入力するに際し、スマートフォン１３に代えてＰＢダイヤラーを用いてもよい。また、スマートフォン１３やハンディレコーダに予め認証情報に対応するＰＢ信号を録音しておき、録音したＰＢ信号を再生することで、ドアホン子機５のマイク９を介して認証情報を入力するようにしてもよい。
【００５７】
このようにＰＢ信号を用いると、ビジネスホン主装置２に認証情報を正確に入力することが期待でき、認証情報の桁数を増やしても入力の正確性には影響しない。従って、認証情報の桁数を例えば２０桁程度に増やしてセキュリティを一層高めることができる。
【００５８】
（第３実施形態）
次に、図５を参照して、第３実施形態を説明する。以下、本実施形態が上記第２実施形態と相違する点を中心に説明し、重複する説明は省略する。
【００５９】
本実施形態では、ビジネスホン主装置２とドアホン子機５を接続する通話パスとしてのケーブル３３上に電子錠制御装置４０が設けられている。電子錠４は、電子錠制御装置４０に接続されている。ビジネスホン主装置２に代えて、電子錠制御装置４０が、認証情報記憶部２０、呼出応答部２１、ＰＢ信号受信部２２、認証情報復号部２３、認証情報判定部２４、電子錠制御部２５、電子錠制御通知部２６を備えている。
【００６０】
即ち、電子錠制御装置４０は、ドアホン子機５を介して入力されたＰＢ信号（可聴帯域信号）を受信するＰＢ信号受信部２２（可聴帯域信号受信部）と、ＰＢ信号から認証情報を復号する認証情報復号部２３と、復号された認証情報に基づいて電子錠４を制御する電子錠制御部２５と、を備える。以上の構成によれば、ドアホン子機５を用いて電子錠４を解錠する技術において、セキュリティを向上することができる。
【００６１】
また、ビジネスホンシステム１（電子錠制御システム）は、ドアホン子機５と、電子錠制御装置４０と、ビジネスホン主装置２（構内交換機）を備える。電子錠制御装置４０は、ドアホン子機５とビジネスホン主装置２との間のケーブル３３（通話パス）上に設けられている。
【００６２】
（第４実施形態）
次に、図６を参照して、第４実施形態を説明する。以下、本実施形態が上記第２実施形態と相違する点を中心に説明し、重複する説明は省略する。
【００６３】
図６には、インターホンシステム５０（電子錠制御システム）を示している。インターホンシステム５０は、ドアホン子機５と、インターホン親機５１と、電子錠４と、を備えている。
【００６４】
インターホン親機５１は、図示しない中央演算処理器としてのＣＰＵと、読み書き自由のＲＡＭ、読み出し専用のＲＯＭを備えている。そして、ＣＰＵがＲＯＭに記憶されているプログラムを読み出して実行することで、プログラムは、ＣＰＵなどのハードウェアを、認証情報記憶部２０として機能させる。また、プログラムは、ＣＰＵなどのハードウェアを、呼出応答部２１、ＰＢ信号受信部２２、認証情報復号部２３、認証情報判定部２４、電子錠制御部２５、電子錠制御通知部２６として機能させる。認証情報記憶部２０や呼出応答部２１などの機能は上記第２実施形態のものと同じである。
【００６５】
ドアホン子機５は、ケーブル５２を介してインターホン親機５１に接続されている。
【００６６】
電子錠４は、ケーブル５３を介してインターホンシステム５０に接続されている。
【００６７】
以上の構成によっても、ドアホン子機５を用いて電子錠４を解錠する技術において、セキュリティを向上することができる。
【００６８】
（第５実施形態）
次に、図７を参照して、第５実施形態を説明する。以下、本実施形態が上記第４実施形態と相違する点を中心に説明し、重複する説明は省略する。
【００６９】
本実施形態では、インターホン親機５１とドアホン子機５を接続する通話パスとしてのケーブル５２上に電子錠制御装置６０が設けられている。電子錠４は、電子錠制御装置６０に接続されている。インターホン親機５１に代えて、電子錠制御装置６０が、認証情報記憶部２０、呼出応答部２１、ＰＢ信号受信部２２、認証情報復号部２３、認証情報判定部２４、電子錠制御部２５、電子錠制御通知部２６を備えている。
【００７０】
即ち、電子錠制御装置６０は、ドアホン子機５を介して入力されたＰＢ信号（可聴帯域信号）を受信するＰＢ信号受信部２２（可聴帯域信号受信部）と、ＰＢ信号から認証情報を復号する認証情報復号部２３と、復号された認証情報に基づいて電子錠４を制御する電子錠制御部２５と、を備える。以上の構成によれば、ドアホン子機５を用いて電子錠４を解錠する技術において、セキュリティを向上することができる。
【００７１】
また、インターホンシステム５０（電子錠制御システム）は、ドアホン子機５と、電子錠制御装置６０と、インターホン親機５１を備える。電子錠制御装置６０は、ドアホン子機５とインターホン親機５１との間のケーブル５２（通話パス）上に設けられている。
【００７２】
上述の例において、プログラムは、様々なタイプの非一時的なコンピュータ可読媒体(non-transitory computer readable medium)を用いて格納され、コンピュータに供給することができる。非一時的なコンピュータ可読媒体は、様々なタイプの実体のある記録媒体(tangible storage medium)を含む。非一時的なコンピュータ可読媒体の例は、磁気記録媒体（例えばフレキシブルディスク、磁気テープ、ハードディスクドライブ）、光磁気記録媒体（例えば光磁気ディスク）を含む。非一時的なコンピュータ可読媒体の例は、ＣＤ−ＲＯＭ(Read Only Memory)、ＣＤ−Ｒ、ＣＤ−Ｒ／Ｗ、半導体メモリ（例えば、マスクＲＯＭ、ＰＲＯＭ(Programmable ROM)、ＥＰＲＯＭ(Erasable PROM)、フラッシュＲＯＭ、ＲＡＭ(random access memory))を含む。また、プログラムは、様々なタイプの一時的なコンピュータ可読媒体(transitory computer readable medium)によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００７３】
本発明は、上述した実施形態に限られたものではなく、本発明の趣旨を逸脱しない範囲で適宜変更することができる。
【００７４】
上記の実施形態の一部又は全部は、以下の付記のようにも記載されうるが、以下には限られない。
【００７５】
（付記１）ドアホン子機を介して入力された可聴帯域信号を受信する可聴帯域信号受信部と、前記可聴帯域信号から認証情報を復号する認証情報復号部と、復号された前記認証情報に基づいて電子錠を制御する電子錠制御部と、を備えた、電子錠制御装置。
（付記２）前記可聴帯域信号は、音声帯域信号である、付記１に記載の電子錠制御装置。
（付記３）前記音声帯域信号は、ＰＢ信号である、付記２に記載の電子錠制御装置。
（付記４）認証情報を記憶する認証情報記憶部を更に備え、前記電子錠制御部は、復号された前記認証情報が、前記認証情報記憶部に記憶されている前記認証情報に一致した場合、前記電子錠を解錠する、付記１から３までの何れか１項に記載の電子錠制御装置。
（付記５）前記電子錠は、前記ドアホン子機に対応して配置されたものである、付記１から４までの何れか１項に記載の電子錠制御装置。
（付記６）前記ドアホン子機と、付記１から５までの何れか１項に記載の電子錠制御装置と、構内交換機、又は、インターホン親機と、を備え、前記電子錠制御装置は、前記ドアホン子機と前記構内交換機との間の通話パス上に、又は、前記ドアホン子機と前記インターホン親機との間の通話パス上に、設けられている、電子錠制御システム。
（付記７）ドアホン子機を介して入力された可聴帯域信号を受信するステップと、前記可聴帯域信号から認証情報を復号するステップと、復号された前記認証情報に基づいて電子錠を制御するステップと、を含む、電子錠制御方法。
（付記８）前記可聴帯域信号は、音声帯域信号である、付記７に記載の電子錠制御方法。
（付記９）前記音声帯域信号は、ＰＢ信号である、付記８に記載の電子錠制御方法。
（付記１０）認証情報を記憶するステップを更に含み、復号された前記認証情報に基づいて前記電子錠を制御するステップでは、復号された前記認証情報が記憶されている前記認証情報に一致した場合、前記電子錠を解錠する、付記７から９までの何れか１項に記載の電子錠制御方法。
（付記１１）前記電子錠は、前記ドアホン子機に対応して配置されたものである、付記７から１０までの何れか１項に記載の電子錠制御方法。
（付記１２）コンピュータに、付記７から１１までの何れか１項に記載の電子錠制御方法を実行させるためのプログラム。
【符号の説明】
【００７６】
１  ビジネスホンシステム
２  ビジネスホン主装置
３  ビジネスホン
４  電子錠
５  ドアホン子機
６  公衆網
７  呼出ボタン
８  スピーカ
９  マイク
１３  スマートフォン
１７  スピーカ
２０  認証情報記憶部
２１  呼出応答部
２２  ＰＢ信号受信部
２３  認証情報復号部
２４  認証情報判定部
２５  電子錠制御部
２６  電子錠制御通知部
３０  認証情報記憶部
３１  ＰＢ信号変換部
３２  ＰＢ信号再生部
３３  ケーブル
４０  電子錠制御装置
５０  インターホンシステム
５１  インターホン親機
５２  ケーブル
５３  ケーブル
６０  電子錠制御装置
【図１】
2020033775.tif 000003
【図２】
2020033775.tif 000004
【図３】
2020033775.tif 000005
【図４】
2020033775.tif 000006
【図５】
2020033775.tif 000007
【図６】
2020033775.tif 000008
【図７】
2020033775.tif 000009
【手続補正書】
【提出日】令和1年8月2日(2019.8.2)
【手続補正１】
【補正対象書類名】特許請求の範囲
【補正対象項目名】全文
【補正方法】変更
【補正の内容】
【特許請求の範囲】
【請求項１】
ドアホン子機を介して入力された可聴帯域信号を受信する可聴帯域信号受信部と、
前記可聴帯域信号から認証情報を復号する認証情報復号部と、
復号された前記認証情報に基づいて電子錠を制御する電子錠制御部と、
を備え、
前記可聴帯域信号は、ＰＢ信号である、
電子錠制御装置。
【請求項２】
認証情報を記憶する認証情報記憶部を更に備え、
前記電子錠制御部は、
復号された前記認証情報が、前記認証情報記憶部に記憶されている前記認証情報に一致した場合、
前記電子錠を解錠する、
請求項１に記載の電子錠制御装置。
【請求項３】
前記電子錠は、
前記ドアホン子機に対応して配置されたものである、
請求項１又は２に記載の電子錠制御装置。
【請求項４】
前記ドアホン子機と、
請求項１乃至３の何れか１項に記載の電子錠制御装置と、
構内交換機、又は、インターホン親機と、
を備え、
前記電子錠制御装置は、
前記ドアホン子機と前記構内交換機との間の通話パス上に、
又は、
前記ドアホン子機と前記インターホン親機との間の通話パス上に、
設けられている、電子錠制御システム。
【請求項５】
ドアホン子機を介して入力された可聴帯域信号を受信するステップと、
前記可聴帯域信号から認証情報を復号するステップと、
復号された前記認証情報に基づいて電子錠を制御するステップと、
を含み、
前記可聴帯域信号は、ＰＢ信号である、
電子錠制御方法。
【請求項６】
認証情報を記憶するステップを更に含み、
復号された前記認証情報に基づいて前記電子錠を制御するステップでは、
復号された前記認証情報が記憶されている前記認証情報に一致した場合、
前記電子錠を解錠する、
請求項５に記載の電子錠制御方法。
【請求項７】
前記電子錠は、
前記ドアホン子機に対応して配置されたものである、
請求項５又は６に記載の電子錠制御方法。
【請求項８】
コンピュータに、請求項５乃至７の何れか１項に記載の電子錠制御方法を実行させるためのプログラム。
【手続補正書】
【提出日】令和1年11月20日(2019.11.20)
【手続補正１】
【補正対象書類名】特許請求の範囲
【補正対象項目名】全文
【補正方法】変更
【補正の内容】
【特許請求の範囲】
【請求項１】
電話網やインターネットを介することなくケーブルにて直接接続されるドアホン子機を介して入力されたＰＢ信号を受信するＰＢ信号受信部と、
前記ＰＢ信号から認証情報を復号する認証情報復号部と、
復号された前記認証情報に基づいて電子錠を制御する電子錠制御部と、
を備える、電子錠制御装置。
【請求項２】
認証情報を記憶する認証情報記憶部を更に備え、
前記電子錠制御部は、
復号された前記認証情報が、前記認証情報記憶部に記憶されている前記認証情報に一致した場合、
前記電子錠を解錠する、
請求項１に記載の電子錠制御装置。
【請求項３】
前記電子錠は、
前記ドアホン子機に対応して配置されたものである、
請求項１又は２に記載の電子錠制御装置。
【請求項４】
前記ドアホン子機と、
請求項１乃至３の何れか１項に記載の電子錠制御装置と、
構内交換機、又は、インターホン親機と、
を備え、
前記電子錠制御装置は、
前記ドアホン子機と前記構内交換機との間の通話パス上に、
又は、
前記ドアホン子機と前記インターホン親機との間の通話パス上に、
設けられている、電子錠制御システム。
【請求項５】
電話網やインターネットを介することなくケーブルにて直接接続されるドアホン子機を介して入力されたＰＢ信号を受信し、
前記ＰＢ信号から認証情報を復号し、
復号された前記認証情報に基づいて電子錠を制御する、
ことを特徴とする、電子錠制御装置の制御方法。
【請求項６】
認証情報を記憶しておき、
復号された前記認証情報が記憶されている前記認証情報に一致した場合、
前記電子錠を解錠する、
請求項５に記載の電子錠制御装置の制御方法。
【請求項７】
前記電子錠は、
前記ドアホン子機に対応して配置されたものである、
請求項５又は６に記載の電子錠制御装置の制御方法。
【請求項８】
コンピュータに、請求項５乃至７の何れか１項に記載の電子錠制御装置の制御方法を実行させるためのプログラム。